(57)【特許請求の範囲】
【請求項１】
ハンドレールを備えた複数のショーケースを並置したショーケースにおいて、前記ハンドレールの庫内側側面に長手方向に延びる溝を形成し、複数のショーケースを並置するとき、隣接するショーケースの前記溝間に位置決めピースを介装したことを特徴とするショーケース。
【発明の詳細な説明】
【０００１】
【発明の属する技術分野】
本発明は、ハンドレールを備えたショーケースに関する。
【０００２】
【従来の技術】
一般に、前面部にハンドレール（手摺り）を備えたショーケースでは当該ハンドレールの近くに肉や野菜、鮮魚等の商品の名称や価格を表示する表示板（ＰＯＰと呼称される）を取り付けるポップスタンドや、ナイトカバーの引っ掛け部やフロントガラスや吸込みダクト等、種々のものが配置されている。
【０００３】
【発明が解決しようとする課題】
しかしながら、従来の構成では、ポップスタンドやナイトカバーの引っ掛け部やフロントガラスや吸込みダクト等種々のものが個別に取付金具や、ナット、ねじ等の取付具を介して取り付けられ、従って、部品点数が増し、製造コストが高くなるという問題がある。また、従来の構成では、大型店舗等で複数のショーケースを隣接して並置するとき、各ショーケース同志を連結具を介して連結するが、この場合ショーケースのハンドレールの継ぎ合わせ部に段差が形成されやすく、ショーケースをきれいに一列に配列しにくくなるという問題がある。
【０００４】
そこで、本発明の目的は、上述した従来の技術が有する課題を解消し、ポップスタンドやナイトカバーの引っ掛け部やフロントガラスや吸込みダクト等の種々のものをハンドレールに簡単に取り付けることができ、大型店舗等で複数のショーケースを隣接して並置するとき、ショーケースをきれいに一列に配列しやすくしたショーケースを提供することにある。
【０００８】
【課題を解決するための手段】
請求項１記載の発明は、ハンドレールを備えた複数のショーケースを並置したショーケースにおいて、前記ハンドレールの庫内側側面に長手方向に延びる溝を形成し、複数のショーケースを並置するとき、隣接するショーケースの前記溝間に位置決めピースを介装したことを特徴とするものである。
【００１１】
【発明の実施の形態】
以下、本発明の一実施形態を図面を参照して説明する。
【００１２】
図１はショーケースの外観斜視図、図２はその断面図を示している。符号１はショーケースを示している。このショーケース１は断熱箱体２とこの断熱箱体２との間に間隔をあけて設けられた仕切体８とを備え、この仕切体８の内部には商品陳列室３が設けられている。この商品陳列室３には複数段（この例では４段である）に亘って商品陳列用の陳列棚４０が設けられ、この陳列棚４０の上には随時商品が陳列されている。符号９はミラーである。
前記の仕切体８と断熱箱体２との間には冷気通路５が形成され、この冷気通路５は外層冷気通路５ａと内層冷気通路５ｂとで２層に亘って形成されている。そして、下部に位置する冷気通路５には、冷却器用送風機６が収納され、内層冷気通路５ｂには冷却器７が収納されている。
【００１３】
図中で実線矢印は冷却風の流れを示している。ショーケース１の前面下部の吸込口５１から冷気通路５に吸い込まれる空気は冷却器用送風機６を経て内層冷気通路５ｂに流入し、冷却器７を経て冷却された後、ショーケース１の天部に至り、吹出口５５ｂから吹き出される。この吹出口５５ｂから吹き出される冷気は、商品陳列室３を冷却すると共に、当該商品陳列室３の前面部にエアーカーテンを形成し、再び、吸込口５１から冷気通路５に吸い込まれる。また、吸込口５１から冷気通路５に吸い込まれる空気は冷却器用送風機６を経て外層冷気通路５ａにも流入し、ショーケース１の天部に至り、吹出口５５ａから吹き出される。この吹出口５５ａから吹き出される冷気は、専ら、当該商品陳列室３の前面部にエアーカーテンを形成し、吸込口５１から冷気通路５に吸い込まれる。
【００１４】
この実施形態では、ショーケース１の前面部に、図３及び図４に示すように、ハンドレール（手摺り）５０が取り付けられている。
【００１５】
このハンドレール５０は樹脂製であり、長手方向に延びて断熱箱体２に嵌合する嵌合部５１と、肉や野菜、鮮魚等の商品の名称や価格を表示する表示板（ＰＯＰと呼称される）５２を装着する装着部５３と、後述するフロントガラスの下縁部を挿入して取り付ける凹部５５と、この凹部５５を塞ぐ樹脂製又はステンレス製のキャップ５７と、庫内側側面５０ａに位置して断面略Ｃ字状に当該側面５０ａの長手方向に延びる溝５９と、この溝５９の外側に位置して吸込ダクト６１を係止する吸込ダクト係止部５８とを一体的に備えている。
【００１６】
装着部５３の下縁５３ａの内側には前面パネル５４の上縁５４ａが進入し、この上縁５４ａと装着部５３の下縁５３ａとの間には表示板（ＰＯＰ）５６が挟まれて取り付けられている。
【００１７】
庫内側側面５０ａの長手方向に延びる溝５９には、図４ａに示すように、ポップスタンド取付具６３が着脱自在に取り付けられている。
【００１８】
このポップスタンド取付具６３はフランジ６３ａを備えている。このフランジ６３ａの短手幅Ｗ１は前記溝５９の溝幅Ｗ２よりも若干小さく形成され、且つフランジ６３ａの長手幅Ｗ３は前記溝幅Ｗ２よりも大きく形成され、このポップスタンド取付具６３は、図４ｂに示すように、フランジ６３ａを横にして当該フランジ６３ａを溝５９内に挿入した後、当該溝５９内でフランジ６３ａを回動させて、図４ａに示すように、フランジ６３ａを縦に起こして装着する。これを縦に起こしたとき、ポップスタンド取付具６３の装着孔６３ｂが上方を向き、この装着孔６３ｂには、図５に示すように、ポップスタンド６５の基部６５ａが挿入される。このポップスタンド６５には肉や野菜、鮮魚等の商品の名称や価格を表示する表示板（ＰＯＰと呼称される）が取り付けられる。
【００１９】
これによれば、従来のように取付金具や、ナット、ねじ等の取付具を介してポップスタンド６５を取り付ける必要がなくなり、このポップスタンド６５の装着を簡単におこなうことができる。また、それが不要な場合には、前記溝５９からポップスタンド取付具６３を外しておけばよい。
【００２０】
なお、ポップスタンド６５は種々の形状であってよい。例えば、図６に示すように、一本のパイプを逆Ｕ字状に曲げ、この曲げた基部６５ａをポップスタンド取付具６３の装着孔６３ｂに装着するようにしてもよい。
【００２１】
ハンドレール５０の頂部には凹部５５が形成され、この凹部５５には、通常時において、埃防止のキャップ５７が装着されている。このキャップ５７は、図７に示すように、樹脂成形したものであってもよく、或いは、図８に示すように、ステンレス製の板を曲げ成形したものであってもよい。
【００２２】
この凹部５５には必要に応じて、図９に示すように、フロントガラス７１の下縁部７１ａが装着されている。この場合には、キャップ５７が取り外される。これによれば、従来のように取付金具や、ナット、ねじ等の取付具を介してフロントガラス７１を取り付ける必要がなく、フロントガラス７１の装着を簡単におこなうことができ、それが不要な場合には、凹部５５からフロントガラス７１を引き抜いて、当該凹部５５にキャップ５７をしておけばよい。
【００２３】
前記溝５９の外側には、図１０に示すように、吸込ダクト６１の吸込ダクト係止部５８が一体的に形成されている。これによれば、従来のように取付金具や、ナット、ねじ等の取付具を介して吸込ダクト６１を取り付ける必要がなく、吸込ダクト６１の装着を簡単におこなうことができる。
【００２４】
また、溝５９の上溝壁５９ａがナイトカバー７５のフック７５ａを引っ掛けるための引っ掛け部を兼ねている。このナイトカバー７５は、図２に示すように、ショーケース１の天部１ａに巻き取り式に収納され、例えば店舗閉店時に、図１０に示すように、取っ手７５ｂを引いて天部１ａから引きだされ、前記のフック７５ａが溝５９の上溝壁５９ａに引っ掛けられる。
【００２５】
これによれば、従来のように取付金具や、ナット、ねじ等の取付具を介してナイトカバー７５の引っ掛け部を取り付ける必要がなく、当該ナイトカバー７５の引っ掛け部の装着を簡単におこなうことができる。
【００２６】
大型店舗等では、複数のショーケース１を並置することが一般的である。この実施形態では、複数のショーケース１を並置する場合、まず図１１に示すように、ハンドレール５０の庫内側側面５０ａの溝５９に断面略Ｔ字状の位置決めピース７９が嵌め込まれ、ついで位置決めピース７９が、図１２に示すように、溝５９内をスライドされて、ショーケース１のハンドレール５０の継ぎ合わせ部に配置される。この段階において、ショーケース１のハンドレール５０の継ぎ合わせ部に、従来のような前後段差が形成されることはなく、その後、各ショーケース１同志を連結具（図示せず）を介して連結すれば、各ショーケース１をきれいに一列に配列することができる。
【００２７】
以上、一実施形態に基づいて本発明を説明したが、本発明はこれに限定されるものでないことは明らかである。
【００２９】
【発明の効果】
以上の説明から明らかなように、本発明では、複数のショーケースを並置するとき、当該ショーケースをきれいに簡単に一列に配列することができる。
【図面の簡単な説明】
【図１】本発明によるショーケースの一実施形態を示す斜視図である。
【図２】同じく断面図である。
【図３】ハンドレールを示す断面図である。
【図４】同じく斜視図である。
【図５】ハンドレールにポップスタンドを装着した図である。
【図６】ハンドレールにポップスタンドを装着した斜視図である。
【図７】キャップを取り付けた断面図である。
【図８】キャップを取り付けた断面図である。
【図９】フロントガラスを取り付けた図である。
【図１０】ナイトカバーのフックを引っ掛けた図である。
【図１１】ショーケースを並置した図である。
【図１２】ショーケースを並置した図である。
【符号の説明】
１  ショーケース
５０  ハンドレール
５０ａ  庫内側側面
５１  嵌合部
５３  装着部
５５  凹部
５７  キャップ
５８  吸込ダクト係止部
５９  溝
５９ａ  溝壁
６１  吸込ダクト
６３  ポップスタンド取付具
６５  ポップスタンド
７１  フロントガラス
７１ａ  下縁部
７５  ナイトカバー
７９  位置決めピース
【図１】
0003649915.tif 000002
【図２】
0003649915.tif 000003
【図３】
0003649915.tif 000004
【図４】
0003649915.tif 000005
【図５】
0003649915.tif 000006
【図６】
0003649915.tif 000007
【図７】
0003649915.tif 000008
【図８】
0003649915.tif 000009
【図９】
0003649915.tif 000010
【図１０】
0003649915.tif 000011
【図１１】
0003649915.tif 000012
【図１２】
0003649915.tif 000013